(57)【要約】      （修正有）【課題】  従来の導電性繊維でトリコット編みでネット状に編んだ素材から作られた医療用シールド・ウエアにさらに金属シールド・シート及び磁性材からなる電磁波吸収材シートを組み合わせた積層体シールド・シートを用い、より低周波電磁波遮断性能を向上させる。【解決手段】  人体のペースメーカーの埋め込まれる付近のインナーウエア1のネット2の上または下に低周波電磁波に対してシールド効果のある導電素材と磁性素材の積層体からなるシールド・シート3をさらに設ける。前記導電素材がアルミ箔であり、前記磁性素材がμの大きい磁性素材であって、前記積層体シート3が前記導電素材と磁性素材を交互に重ねた３〜９層構造である。さらに、前記積層体には１ｃｍ2 あたり１個以上の通気・通湿用の孔を空けてある。【選択図】図１
2006055289.tif 000002
【特許請求の範囲】
【請求項１】
導電性を有する繊維が、トリコット編みで編目の粗さが１．５ｍｍ以下のメッシュ状に編まれ、編み目の縦横の繊維が互いの動きを拘束することで目の粗さが一定に維持されている電磁波遮断ネットから成り、心臓ペースメーカーを使用している患者が着用することにより高周波ノイズによりペースメーカーの誤動作を防止する医療用インナーウエアにおいて、
人体の前記ペースメーカーの埋め込まれる付近の前記インナーウエアの前記ネットの上または下に導電素材と磁性素材の積層体からなるシールド・シートをさらに設けたことを特徴とする医療用インナーウエア。
【請求項２】
前記導電素材が金属箔であり、前記磁性素材がμの大きい磁性素材であって、前記積層体からなるシールド・シートが前記導電素材と磁性素材を交互に重ねた３〜９層構造であることを特徴とする前記請求項１記載の医療用インナーウエア。
【請求項３】
前記積層体からなるシールド・シートには１ｃｍ２ あたり１個以上の通気・通湿用の孔を空けたことを特徴とする前記請求項１または２記載の医療用インナーウエア。
【請求項４】
前記積層体からなるシールド・シートが人体の前後両側の前記ペースメーカーの埋め込まれる付近の前記インナーウエアの前記ネットの上または下に設けられていることを特徴とする前記請求項１〜３の内、いずれか１項記載の医療用インナーウエア。
【発明の詳細な説明】
【技術分野】
【０００１】
この発明は、携帯電話やエンジン、モーター、電磁調理器、盗難防止装置、アーク溶接、スポット溶接等から発生する電磁波ノイズを有効にカットし、心臓ペースメーカーの誤動作を防止する医療用インナーウエアの改良に関する。
【背景技術】
【０００２】
ペースメーカーを使用している心臓病の患者は全国に数十万人いるといわれ、最近特に携帯電話の至近距離における使用によりペースメーカーの誤動作が多く問題になっている。これに関し、厚生省は９７年４月よりペースメーカーを使用している患者へ携帯電話を最低２２ｃｍ以上離すよう指導している。
【０００３】
しかし、隣の人が、ペースメーカーを使用しているかどうか直ぐには分からないため、他人が至近距離で携帯電話を使用する危険が常に存在する。また、ペースメーカーを使用している患者自体も携帯電話を使用したいというニーズもあるが、現実には上記誤動作の危険のため使用できないでいる。携帯電話以外にもハンディ無線機、車載無線機等から発生する高周波ノイズもペースメーカーを誤動作させる可能性があり、携帯芝刈り機等使用が制限されている機器が多くある。従来、このような高周波ノイズによるペースメーカーの誤動作を有効に防止する手段がなかった。
【０００４】
同じ出願人は、このような問題点を解決するため、図１５の４１、図１６の４２に示すような「導電性を有する繊維が、編目の粗さが１．５ｍｍ以下のメッシュ状（図１７の４３）に編まれていることにより、トリコット編み機のような一般的な編み機で編むことが可能であって使用する繊維の分量も少なく、従って、着衣用シールド・ウエアのように電磁波を遮断する面積が広い場合でもコストが低く、また編み目の縦横の繊維が互いの動きを拘束することで目の粗さが一定に維持され、さらに編目の交差部分で絡み合った繊維同士の導電により電磁波の反射量・吸収量が大きくなり、電磁波の遮断効果が高い電磁波遮断ネットを用い、インナーウエアとして身体に密着して使用できる、安価で丈夫な医療用シールド・ウエア用やその他用途の電磁波防止兼静電防止ウエア」をすでに提案している（特開平１１−２３５３８９号公報参照）。
【０００５】
上記提案のものはまた、導電性を有する繊維が縒りをかけられ、メッシュ状に編まれた電磁波遮断ネット４３を用いることにより、汚れがつきにくい上に汚れても汚れが目立ちにくく、柔軟性があり、しかも透明性があって中身が見え、さらには抗菌性も備え、静電気も防止する電磁波遮断ネットを用いたインナーウエアとして好適な前記シールド・ウエアである。
【０００６】
しかし、上記シールド・ウエアは、低周波帯域の電磁波遮断性能を向上させるためにはさらなるシールド構造を採用することが好ましい。
【特許文献１】特開平１１−２３５３８９号公報
【発明の開示】
【発明が解決しようとする課題】
【０００７】
この発明は、前記従来の導電性繊維でトリコット編みでネット状に編んだ素材から作られた医療用シールド・ウエアにさらに金属シールド・シート及び磁性材からなる電磁波吸収材シートを組み合わせて、より電磁波遮断性能を向上させること、特に低周波電磁波に対してシールド効果のある医療用インアーウエアを実現することを目的とする。
【課題を解決するための手段】
【０００８】
本発明の医療用インナーウエアは、導電性を有する繊維が、トリコット編みで編目の粗さが１．５ｍｍ以下のメッシュ状に編まれ、編み目の縦横の繊維が互いの動きを拘束することで目の粗さが一定に維持されている電磁波遮断ネットから成り、心臓ペースメーカーを使用している患者が着用することにより高周波ノイズによりペースメーカーの誤動作を防止する医療用インナーウエアにおいて、人体の前記ペースメーカーの埋め込まれる付近の前記インナーウエアの前記ネットの上または下に低周波電磁波遮断用導電素材と磁性素材の積層体からなるシールド・シートをさらに設けたことを特徴とする。
【０００９】
このことにより、高周波のみならず低周波電磁波に対してシールド効果のある医療用インナーウエアが実現できる。
また、前記積層体からなるシールド・シートの導電素材が金属箔であり、前記磁性素材がμの大きい磁性素材であって、前記積層体が前記導電素材と磁性素材を交互に重ねた３〜９層構造であることを特徴とする。
【００１０】
さらに、前記積層体からなるシールド・シートには、１ｃｍ２ あたり１個以上の通気・通湿用の孔を空けたことを特徴とする。
さらには、前記積層体からなるシールド・シートが人体の前後両側の前記ペースメーカーの埋め込まれる付近の前記インナーウエアの前記ネットの上または下に設けられていることを特徴とする。
【発明の効果】
【００１１】
本発明の医療用インナーウエアは、前記従来の電磁波シールド・ネットに加えて、ペースメーカー本体のみならずペースメーカーのリード線全体の前面及び後面を本発明のアルミ箔と磁性素材からなる積層体からなるシールド・シートで覆うことによりリード線がアンテナとなってペースメーカーに進入する不要ノイズを効果的に遮断することができる。
【００１２】
このことにより、ペースメーカー装着者の外出不安を解消して行動範囲を拡大し、また本人自身の安全な携帯電話の使用すらも可能にした。また、高周波電磁波のみならず、電磁調理器等の低周波電磁波への誤動作不安を解消する効果がある。
【発明を実施するための最良の形態】
【００１３】
以下、図面を参照しながら、本発明を実施するための最良の形態について詳細に説明する。
図１は、本発明の電磁波シールド医療用インナーウエア１の全体斜視図を示す。図１において、２は図１５に示されるような導電性を有する繊維が、トリコット編みで編目の粗さが１．５ｍｍ以下のメッシュ状に編まれた素材（図１７）により、編み目の縦横の繊維が互いの動きを拘束することで目の粗さが一定に維持されている電磁波遮断ネットから成り、心臓ペースメーカーを使用している患者が着用することにより高周波ノイズによりペースメーカーの誤動作を防止する前記従来の医療用インナーウエア（図１５，図１６）と同じである。上記従来の医療用インアーウエアも金属繊維を用いた電磁波遮断ネットがシールドの役目をなすので、不要電磁波をカットすることができる。
【００１４】
この発明は、この従来の医療用インナーウエア（以下、ＭＧベストという。）の改良に関し、さらにインナーウエアの胸部前面や胸部後面（図８参照）に後述する積層体構造の金属製シールド・シート３，４を取り付けたことを特徴とする。この金属製シールド・シート・シート部材を取り付けたことにより、ペースメーカーの設置されている胸部前面および／または後面を該シールド・シート部材で覆うことにより胸部前方とか、胸部後方からの携帯電話等の高周波電磁波だけでなく、電磁調理器等の低周波電磁波の浸入を効果的に遮断することができる。
【００１５】
図９には、前記ペースメーカー本体のみならずペースメーカーのリード線全体の前面及び後面を覆う本発明のアルミ箔と磁性素材からなる積層体からなるシールド・シート（以下、単に「シールド・シート」という）の構造を示す。
【００１６】
該積層体シールド・シートは、図９に示す如く、導電素材（５０μｍアルミ箔を使用）３１，３３，３５とμの大きい磁性素材（日立金属の“ファインメット”（登録商標）を使用。図９の３２，３４）を積層したものである。該積層体のシールド・シートは、基本的には導電材シート（３１，３３，３５）で電磁波を反射し、磁性材シート（３２，３４）で電磁波の吸収を繰り返すことにより、低周波電磁波を減衰させる構造になっている。
【００１７】
図１１に示すようにいろんなタイプの積層体シールド・シートで実験した結果、（導電材−粘着材）−（ポリカーボフィルム−磁性材−ポリカーボフィルム）−（粘着材−導電材−粘着材）−（ポリカーボフィルム−磁性材−ポリカーボフィルム）−（粘着材−導電材）といった構造からなる５層構造がもっとも効率よく低周波磁界（計測したデータは３ｋＨｚ〜３００ｋＨｚ）を減衰（３０〜６０ｄＢ）させることが分かった。これ以上積層を増やしてもほとんどシールド性能は向上しなかった。各層は粘着材及びポリカフィルムで絶縁層があり、絶縁層は２０〜２００μｍ、素材の合計の厚みは３００μｍ〜１５００μｍである。
【００１８】
上記積層体シールド・シートの実施例を以下に示す。
（１）シールド構造
素  材                  厚  み（ミクロン）
アルミ                    ５０
粘着剤                    ４５
ファインメット          １２０
粘着剤                    ４５
アルミ                    ５０
両面テープ              １６０
ファインメット          １２０
粘着剤                    ４５
アルミ                    ５０
シールド厚さ（合計）    ６８５
（２）ファインメット構造
ＰＥＴフィルム            ２５
粘着剤                    ２５
ファインメット            １８
（ＦＴ−３Ｍ薄帯）    
粘着剤                    ２５                                                  
ＰＥＴフィルム            ２５
総厚                    １２０
図２〜図４に示すように、上記シールド・シートは人体内に植え込まれているペースメーカー（ＰＭ）本体とリード線全体をカバーする形状とした。これは、図１２の大きさ比較の図に示すように、試料のサイズを大きくし、本体とリード線をできるだけ広い面積で覆う方が、電磁波シールド性能が上がることを確認したからである。
【００１９】
すなわち、図５（ａ）、図６（ａ）に示すように、ペースメーカー（ＰＭ）本体５は、左右の鎖骨下の皮下に植え込むのが基本で右と左とでは図５（ａ）、図６（ａ）に示すように血管を通るリード線６の配置が大きく違う。なお、リード線６は静脈内に挿入され、心臓内の壁にリード先端の鉤型を引っ掛ける形で装着される。
【００２０】
従って、ペースメーカー（ＰＭ）本体とリード線全体をカバーする前記積層体シールド・シート８，９の形状としては、図５（ｂ）、図６（ｂ）となり、この形状が図２，図３に示されている。図１０には、図２の８の拡大図を示す。なお、まれに幼児にペースメーカー（ＰＭ）を植え込むときは、図７（ａ）に示すようにみぞおちあたりの腹部に配置する。その際の上記積層体シールド・シートの形状は図７（ｂ）に示すように本体とリード線をカバーする楕円形状１０となる。この形状が図４に示される。
【００２１】
図５，図６に示すように、上記積層体シールド・シートを使用することで左または右のリード線もカバーできるようにしている。また、ペースメーカー（ＰＭ）を装着する際、リード線が長すぎた場合はペースメーカー（ＰＭ）本体の周りにリード線を配置する場合があり、本体周辺もカバーする必要がある。
【００２２】
このように、ペースメーカー（ＰＭ）が左右鎖骨下に植え込まれている場合（図５，図６）は、ベスト形状で、鎖骨下周辺と胸部を覆うとＰＭ本体とリード線がカバーされる。また、腹部にペースメーカー（ＰＭ）が埋め込まれている場合（図７）はタンクトップ形状で、腹部と心臓部分を覆うとＰＭ本体とリード線はカバーされる。前述の如く、生地は高周波電磁シールドに効果のある導電性繊維でできたトリコット編みの従来提案のＭＧネットを使用する。衣服の脱着には導電ファスナーを使用し、衣服全体の電磁防護性能を損なわないようにする。導電ファスナーの取り付け位置は左右いずれかの側面とし、ペースメーカー（ＰＭ）本体とリード線への電磁シールド性能を高める。導電性ファスナーでない場合、ウエア側面には縦型の電磁波シールドのない空隙が生じ、該空隙から不要電波（例えば、垂直偏波のもの）が浸入するので好ましくない。
【００２３】
衣服の裏地に先の電磁シールド・シートを格納するポケットを作ることが好ましい。また、取り付け位置がずれないようにシートの形状にフィットしたポケットを作ることが好ましい。ストレッチ性のある裏地を使用し、ポケット口をシートより小さくすることでシートを挿入後、固定することができる。シートの取り付け位置は安定した電磁シールドをするのには重要な要件であるが、このポケットを作る仕様であれば誰でも簡単に適正な位置にシートを装着する事ができる。
【００２４】
上記シールド・シートには、人が常時使用するためにシートに１ｃｍ2 あたり一個以上の通気・通湿孔を開けた。図１３に示すように、同一合計面積で穴の大きさと低周波磁気シールドの性能を比較したところ、直径１０ｍｍを超えると磁気シールド性能が大きく落ちることが確認できた。よって穴の大きさは１０ｍｍ以下とする。なお、図１１，図１２，図１３の実験は電波暗室内で図１４の装置により測定された。
【００２５】
また、人体ダミーにペースメーカー（ＰＭ）を装着し、低周波電磁波を発生するＩＨ電磁調理卓上コンロ（２０ｋＨｚ〜５０ｋＨｚ）を接近させ該ＰＭを誤動作させる実験も行った。この実験では、磁気シールド・シートをその間に装着し、シートの形状によるＰＭ誤動作距離を比較した。          
【００２６】
人体ファントムに内蔵したＰＭの誤動作実験の概要は以下のとおりである。
図１８に示すように、実寸の中空人体モデルに人体等価物質（電気定数が人体組織と等価な水溶液−実験では0.85%の生理食塩水を使用）を満たして人体ファントムとする。人体ファントム内部にＰＭとリード線、さらにリード線の先端の電極に外部より擬似心拍を送信並びにＰＭの動作を確認するための導線を配置する。
【００２７】
その外部に出力１５００Ｗ、エネルギーの強い周波数帯域３０ｋＨｚ〜５０ｋＨｚの卓上型ＩＨコンロ（以下コンロという）の電磁コイル面の中心をＰＭのリード線が作るループ面の中心に正対するように設置する。コイルとループが正対したときに最も磁束結合が起きやすく、よって最もＰＭが誤動作する環境になる。
【００２８】
まず、コンロの上に水を満たした６cmの厚みのあるブリキ缶を固定し、コンロを動作させ、コンロから発せられる電磁波を人体ファントムに照射して、ＰＭが誤動作を起こす距離を試験した。次に、図１９に示すように、誤動作が発生した条件下で人体ファントムに電磁シールド・シートを装着し、ＰＭの誤動作を抑制できるかについて試験した。この結果を表1に示す。
【００２９】
【表１】
2006055289.tif 000003
なお、表１における各符号は以下のとおりである。
《1》 メーカー名はメーカー別にアルファベットで表した。
《2》 型名は型別に数字で表した。
《3》 ＡＡＩ、ＶＶＩ、ＳＳＩ・・・；ＰＭのペーシングモードの種類でこの３つは抑制型ディマンド方式と呼ばれる。Ａ＝心房、Ｖ＝心室、Ｓ＝心房または心室、Ｉ＝抑制機能を言う。一般的にこれらの型が電磁波の影響を受けやすいと考えられている。
《4》 感度設定；心電位感度。電圧設定が低いほど感度が上がる。
《5》 不応期；電磁ノイズの影響があっても、ＰＭ反応しない時間の長さを表す。
《6》 不要抑制開始距離；自己脈がない場合、ＰＭは電気刺激を心臓に与える。その状態において、電磁ノイズによりＰＭが電気刺激の不要な抑制（ＰＭ停止）を開始する距離を表す。Ｘ＝８ｃｍ以下（接近限界距離）である。
《7》 上記《6》 と同じ状況で、電磁波シールド・シートで防護した際にＰＭが停止を開始する距離を表す。Ｘ＝８ｃｍ以下。
《8》 不要刺激開始距離；自己脈がある場合、ＰＭは電気刺激を停止する。その状態において、電磁ノイズによりＰＭが不要な電気刺激を開始する距離を表す。Ｘ＝８ｃｍ以下。
《9》 上記《8》 と同じ状況で、電磁波シールド・シートで防護した際にＰＭが不要な電気刺激を開始する距離を表す。Ｘ＝８ｃｍ以下。
【００３０】
ＰＭの誤動作は主にリード線が作るループがアンテナになり、低周波の磁界の影響を受けて電流が発生し、それがＰＭ内部にノイズとなって進入した結果発生する。本電磁シールド・シートはＰＭ本体とリード線が作るループ面をカバーすることにより、磁束結合による電流発生を防ぐことにある。磁束結合はループの正面がもっとも影響を受けやすいので、正面方向をシールドすることで大きなシールド効果を得ることができる。そのことは試験結果からでも明らかである。図８に示すように、電磁シールド・シートは人体の前後に装着する必要がある。ＰＭは前方のほうが電磁波の影響を受けやすいが、それは、ＰＭ本体が胸部前方の皮下に植え込まれるので、よりノイズ発生源に近くなってしまう為である。磁界エネルギーは距離の二乗に比例して変化するので、後方の方が影響を受けにくい。しかし、前方のみシールド・シートを用いた場合、後方から電磁波を受けると、前方のシールド・シートに反射してより電磁波の影響を受けやすくなることが分かっており、前後にシールド・シートを配置すると後方からの電磁波の影響も減少する。従って、ＰＭの有効な低周波電磁界のシールド方法はＰＭ本体とリード線が作るループ面の前後をカバーすることである。
【図面の簡単な説明】
【００３１】
【図１】本発明の医療用インナーウエアの全体斜視図である。
【図２】本発明の医療用インナーウエアの装着説明図である。
【図３】本発明の他の医療用インナーウエアの装着説明図である。
【図４】本発明のさらに他の医療用インナーウエアの装着説明図である。
【図５】図２の動作説明図である。
【図６】図３の動作説明図である。
【図７】図４の動作説明図である。
【図８】人体横方向から見た本発明の動作説明図である。
【図９】本発明の積層体シールド・シートの説明図である。
【図１０】図２の８の拡大図である。
【図１１】種々のシールド・シートを用いた電磁波遮断性能の比較実験結果を示す図である。
【図１２】積層体シールド・シートへの大きさの影響の実験結果を示す図である。
【図１３】積層体シールド・シートへの通気孔の影響の実験結果を示す図である。
【図１４】本発明の電磁波遮断性能の測定装置を示す図である。
【図１５】従来提案の医療用インナーウエアを示す図である。
【図１６】従来提案の医療用インナーウエアの装着例を示す図である。
【図１７】本発明の基本となる従来提案の医療用インナーウエアの金属繊維を用いたネット素材（ＭＧネット）を示す図である。
【図１８】本発明のシールド・シート無しの場合の人体ファントムによる電磁波遮断性能の測定方法を示す図である。
【図１９】本発明のシールド・シート有りの場合の人体ファントムによる電磁波遮断性能の測定方法を示す図である。
【符号の説明】
【００３２】
１      医療用インナーウエア
２      ＭＧネット
３      積層体シールド・シート
４      積層体シールド・シート
５      ペースメーカー（ＰＭ）
６      リード線
７      心臓
８      積層体シールド・シート
９      積層体シールド・シート
１０      積層体シールド・シート
３１，３３，３５      導電材
３２，３４      磁性材
【図１】
2006055289.tif 000004
【図２】
2006055289.tif 000005
【図３】
2006055289.tif 000006
【図４】
2006055289.tif 000007
【図５】
2006055289.tif 000008
【図６】
2006055289.tif 000009
【図７】
2006055289.tif 000010
【図８】
2006055289.tif 000011
【図９】
2006055289.tif 000012
【図１０】
2006055289.tif 000013
【図１４】
2006055289.tif 000014
【図１５】
2006055289.tif 000015
【図１６】
2006055289.tif 000016
【図１７】
2006055289.tif 000017
【図１８】
2006055289.tif 000018
【図１９】
2006055289.tif 000019
【図１１】
2006055289.tif 000020
【図１２】
2006055289.tif 000021
【図１３】
2006055289.tif 000022